(57)【要約】【課題】糸フケによる穂先への糸絡みを軽減しつつ、キャスティング性に優れる。【解決手段】略同じ長さに形成された中空の手元竿２と中空の穂先竿３とを継いでなる釣竿１である。手元竿２を硬調子に構成するとともに穂先竿３を軟調子に構成する。穂先竿３の全長ＦＬを二等分して手元竿２に近い側の領域を元竿側領域ＲＥ２とし、手元竿２から遠い側となる領域を穂先側領域ＲＥ３とした場合に、穂先側領域ＲＥ３に設置される釣糸ガイドＧの設置数は、元竿側領域ＲＥ２に設置される釣糸ガイドＧの設置数の２倍以上である構成とした。【選択図】図１
2020103254.tif 000002
【特許請求の範囲】
【請求項１】
略同じ長さに形成された中空の手元竿と中空の穂先竿とを継いでなる釣竿であって、
前記手元竿を硬調子に構成するとともに前記穂先竿を軟調子に構成し、
前記穂先竿の全長を二等分して前記手元竿に近い側の領域を元竿側領域とし、前記手元竿から遠い側となる領域を穂先側領域とした場合に、
前記穂先側領域に設置される釣糸ガイドの設置数は、前記元竿側領域に設置される釣糸ガイドの設置数の２倍以上であることを特徴とする釣竿。
【請求項２】
前記穂先側領域に設置される前記釣糸ガイドのうち、
先端に設置されるトップガイドとその次に設置される２番ガイドとの設置間隔をＬ１とし、
前記２番ガイドとその次に設置される３番ガイドとの設置間隔をＬ２とし、
前記トップガイドと前記３番ガイドとの設置間隔をＬ３とした場合に、これらの関係が、
Ｌ３＞Ｌ２＞Ｌ１
であることを特徴とする請求項１に記載の釣竿。
【発明の詳細な説明】
【技術分野】
【０００１】
本発明は、釣竿に関する。
【背景技術】
【０００２】
従来、釣竿として、特許文献１に開示されたものが知られている。特許文献１の釣竿は、竿杆の外周面に複数の釣糸ガイドを備えている。釣糸ガイドは、リールから繰り出される釣糸やリールに巻き取られる釣糸を、竿杆に沿って案内する。
【０００３】
一方、釣竿は、比較的柔らかい調子のものから硬い調子のものまで多くの種類が存在している。調子は、釣竿全体としてのたわみ状態を示すものであり、使用者が釣竿を選択する上で重要な要素の一つとなっている。
【先行技術文献】
【特許文献】
【０００４】
【特許文献１】特開２０１２−２２８２０２号公報
【発明の概要】
【発明が解決しようとする課題】
【０００５】
ところで、釣竿から釣糸を放出する際に、風の影響等による糸ふけ現象によって、釣竿の穂先に釣糸が絡みつくことがある。このような穂先への釣糸の絡みつきを防止する手法として、釣糸ガイドの数を増やすことが考えられる。しかしながら、釣糸ガイドの数を単に増やすことは、釣竿の重量化に繋がるため、魚釣り操作性が低下するおそれがある。特に、釣糸ガイドを増やすと、釣竿全体としてのバランスが崩れやすくなるため、所望のキャスティング性能を得ることが難しくなる。
【０００６】
本発明は、糸フケによる穂先への糸絡みを軽減しつつ、キャスティング性に優れた釣竿を提供することを課題とする。
【課題を解決するための手段】
【０００７】
このような課題を解決する本発明の釣竿は、略同じ長さに形成された中空の手元竿と中空の穂先竿とを継いでなる釣竿である。前記手元竿を硬調子に構成するとともに前記穂先竿を軟調子に構成してある。そして、前記穂先竿の全長を二等分して前記手元竿に近い側の領域を元竿側領域とし、前記手元竿から遠い側となる領域を穂先側領域とした場合に、前記穂先側領域に設置される釣糸ガイドの設置数は、前記元竿側領域に設置される釣糸ガイドの設置数の２倍以上である構成とした。
【０００８】
本発明では、手元竿と穂先竿とで相異なる調子のものを継いでおり、軟調子でしなり易く当たりが取り易い穂先竿を硬調子でしなりに対して戻りが早い手元竿で支持している。したがって、キャスティング時には、手元竿で仕掛けに反発力を付与することができ、女性等の非力な操作でも竿全体を容易に振り抜くことができる。したがって、キャスティング性に優れる。
また、穂先竿が中空であるので、軽量化が可能であるとともに張りが出て、軟調子でありながらシャープなアクションも実現できる。また、穂先竿が軟調子であるので、食い込みがよく、魚がかかった際のコントロール性に優れる。また、対ショック性が高いため釣糸が切れ難い。
【０００９】
また、本発明では、穂先側領域に設置される釣糸ガイドの設置数は、前記元竿側領域に設置される釣糸ガイドの設置数の２倍以上である。したがって、穂先側領域に釣糸ガイドが多数設置され、釣糸放出時に穂先側領域において釣糸が真っ直ぐに導かれるようになる。また、軟調子でしなり易く振動し易いことで糸フケの発生が懸念されるが、穂先側領域のガイド間隔を狭くできるので、釣糸放出時に釣糸がスムーズに導かれ糸絡みし難くできる。これによって、糸フケによる穂先への糸絡みが軽減され、キャスティング性に優れる。
なお、穂先側領域に釣糸ガイドを多数設置しても、軟調子でしなり易い穂先竿を硬調子でしなり難い手元竿で支持していることから釣竿の持ち重りを低減でき、魚がかかった際のコントロール性に優れる。
【００１０】
また、本発明は、前記穂先側領域に設置される前記釣糸ガイドのうち、先端に設置されるトップガイドとその次に設置される２番ガイドとの設置間隔をＬ１とし、前記２番ガイドとその次に設置される３番ガイドとの設置間隔をＬ２とし、前記トップガイドと前記３番ガイドとの設置間隔をＬ３とした場合に、これらの関係が、Ｌ３＞Ｌ２＞Ｌ１であることが好ましい。
【００１１】
このように構成することによって、トップガイドと２番ガイドとの間隔が比較的短く配置されるため、釣糸放出時に、２番ガイドからトップガイドに向けて釣糸が真っ直ぐに導かれるようになり、糸フケによる穂先への糸絡みが軽減される。したがって、キャスティング性に優れる。
【発明の効果】
【００１２】
本発明では、糸フケによる穂先への糸絡みを軽減しつつ、キャスティング性に優れた釣竿が得られる。
【図面の簡単な説明】
【００１３】
【図１】（ａ）は本発明の一実施形態に係る釣竿の全体的な外観構成を示す側面図、（ｂ）は手元竿と穂先竿とに分離した状態を示す釣竿の側面図である。
【図２】本発明の一実施形態に係る釣竿の穂先竿の先端部を示す拡大側面図である。
【図３】比較例の硬調子の釣竿と軟調子の釣竿との概念的な曲げ剛性を示す図である。
【図４】本発明の一実施形態に係る釣竿の概念的な曲げ剛性を示す図である。
【発明を実施するための形態】
【００１４】
以下、本発明に係る釣竿の実施形態について図面を参照して説明する。ここで、以下の説明において、「前後」を言うときは、図１に示した方向を基準とする。前側が竿先側であり後側が竿尻側である。
【００１５】
図１（ａ）（ｂ）に示すように、釣竿１は、樹脂材料を含浸したカーボン等の強化繊維、いわゆる、プリプレグを巻回して作製される。釣竿１は、図１（ｂ）に示すように、略同じ長さに形成された中空の手元竿２と中空の穂先竿３とを継いでなる２本継ぎ竿である。元竿２は硬調子であり、穂先竿３は手元竿２よりも柔らかい軟調子である。なお、穂先竿３は、手元竿２よりも１０〜２０ｃｍ短くてもよい。また、ここで言う中空の手元竿２と中空の穂先竿３とには、手元竿２と穂先竿３との少なくとも一部が中実に形成されているものも含まれる。
【００１６】
図３は、比較例の硬調子の釣竿Ｒ１と軟調子の釣竿Ｒ２との概念的な曲げ剛性（硬さ特性）を示す図である。図３において、硬調子の釣竿Ｒ１の曲げ剛性を二点鎖線で示し、軟調子の釣竿Ｒ２の曲げ剛性を一点鎖線で示している。硬調子の釣竿Ｒ１と軟調子の釣竿Ｒ２とは、竿全体としての曲げ剛性の大きさが相互に異っているが、いずれも竿尻側の曲げ剛性が大きく、竿先側の曲げ剛性が小さくなっている。そして、各釣竿Ｒ１，Ｒ２は、竿尻側から竿先側に向けて緩やかに連続する曲げ剛性となるように設けられている。なお、手元竿３０Ａと穂先竿２０Ａとの継ぎ部５は、補強のため、近傍する部分に比べて曲げ剛性を大きくしている。
【００１７】
本実施形態の釣竿１は、前記したように、手元竿２が硬調子であり、穂先竿３が軟調子である。つまり、釣竿１は、図４に示すように、手元竿２と穂先竿３との曲げ剛性は、硬調子の釣竿Ｒ１と軟調子の釣竿Ｒ２とを組み合わせたものとなっている。すなわち、手元竿２側は、例えば比較例の硬調子の釣竿Ｒ１の曲げ剛性（図３参照）に相当する曲げ剛性を有しており、穂先竿３側は、例えば比較例の軟調子の釣竿Ｒ２の曲げ剛性（図３参照）に相当する曲げ剛性を有している。本実施形態の釣竿１においても、継ぎ部５は、補強のため、近傍する部分に比べて曲げ剛性を大きくしている。
【００１８】
釣竿１の外周面には、図１（ａ）に示すように、複数の釣糸ガイドＧ（１１〜２１）が設けられている。このうち、釣糸ガイド１１〜２０は、穂先竿３に備わり、釣糸ガイド２１は、手元竿２に備わる。
本実施形態では、穂先竿３における釣糸ガイド１１〜２１の設置位置に特徴をもたせている。具体的に、図１（ｂ）に示すように、穂先竿３の全長ＦＬを二等分して、手元竿２側に近い側となる領域を元竿側領域ＲＥ２とし、手元竿２側から遠い側となる領域を穂先側領域ＲＥ３とした場合に、穂先側領域ＲＥ３に７個の釣糸ガイド１１〜１７が設置されている。また、元竿側領域ＲＥ２に、３個の糸ガイド１８〜２０が設置されている。すなわち、穂先側領域ＲＥ３における釣糸ガイドＧの設置数は、元竿側領域ＲＥ２における釣糸ガイドＧの設置数の２倍以上となっている。したがって、穂先側領域ＲＥ３における釣糸ガイドＧの設置数は、元竿側領域ＲＥ２における設置数を基準として６個以上となっている。
【００１９】
また、別言すれば、穂先側領域ＲＥ３（穂先竿３全体の１／２の領域）における釣糸ガイドＧの設置数（釣糸ガイド１１〜１７、７個）は、穂先竿３全体の釣糸ガイドＧの設置数（釣糸ガイド１１〜２０、１０個）の半分以上となっている。また、穂先側領域ＲＥ３を、さらに、前後に二等分した場合に、前側の領域（穂先竿３全体の１／４の領域）における釣糸ガイドＧの設置数（釣糸ガイド１１〜１５、５個）は、穂先竿３全体の釣糸ガイドＧの設置数（釣糸ガイド１１〜２０、１０個）の半分以上となっている。
【００２０】
また、本実施形態では、穂先側領域ＲＥ３に設置される釣糸ガイド１１〜１７のうち、先端側の設置関係を次のようにしている。すなわち、図２に示すように、先端に設置されるトップガイド１１とその次に設置される２番ガイド１２との設置間隔をＬ１とし、２番ガイド１２とその次に設置される３番ガイド１３との設置間隔をＬ２とし、トップガイド１１と３番ガイド１３との設置間隔をＬ３とした場合に、これらの関係が、Ｌ３＞Ｌ２＞Ｌ１とされている。
【００２１】
つまり、２番ガイド１２と３番ガイド１３との間隔Ｌ２に比べて、トップガイド１１と２番ガイド１２との間隔Ｌ１の方が狭まっている。これによって、トップガイド１１に２番ガイド１２が接近して設置されている。なお、釣竿１の全体を通じて、トップガイド１１と２番ガイド１２との設置間隔は、前後に隣り合う他のガイドＧ同士の設置間隔に比べて、一番小さくなっている。
【００２２】
以上説明した本実施形態の釣竿１では、手元竿２と穂先竿３とで相異なる調子のものを継いでおり、軟調子でしなり易く当たりが取り易い穂先竿３を硬調子でしなりに対して戻りが早い手元竿２で支持している。したがって、キャスティング時には、手元竿２で仕掛けに反発力を付与することができ、女性等の非力な操作でも釣竿１全体を容易に振り抜くことができる。したがって、キャスティング性に優れる。
【００２３】
また、穂先竿３が中空であるので、軽量化が可能であるとともに張りが出て、軟調子でありながらシャープなアクションも実現できる。また、穂先竿３が軟調子であるので、食い込みがよく、魚がかかった際のコントロール性に優れる。また、対ショック性が高いため釣糸が切れ難い。
【００２４】
また、穂先側領域ＲＥ３に設置される釣糸ガイドＧの設置数は、元竿側領域ＲＥに設置される釣糸ガイドＧの設置数の２倍以上である。したがって、穂先側領域ＲＥ３に釣糸ガイドＧが多数設置され、釣糸放出時に穂先側領域ＲＥ３において釣糸が真っ直ぐに導かれるようになる。また、軟調子でしなり易く振動し易いことで糸フケの発生が懸念されるが、穂先側領域ＲＥ３の釣糸ガイドＧの間隔を狭くできるので、釣糸放出時に釣糸がスムーズに導かれ糸絡みし難くできる。これによって、糸フケによる穂先への糸絡みが軽減され、キャスティング性に優れる。
なお、穂先側領域ＲＥ３に釣糸ガイドＧを多数設置しても、軟調子でしなり易い穂先竿３を硬調子でしなり難い手元竿２で支持していることから持ち重りを低減でき、魚がかかった際のコントロール性に優れる。
【００２５】
また、トップガイド１１と２番ガイド１２と３番ガイド１３との設置間隔の関係がＬ３＞Ｌ２＞Ｌ１であるので、トップガイド１１に２番ガイド１２を近接配置することが可能となる。これによって、釣糸放出時に、２番ガイド１２からトップガイド１１に向けて釣糸が真っ直ぐに導かれるようになり、糸フケによる穂先への糸絡みが軽減される。したがって、キャスティング性に優れる。
【００２６】
好ましくは、穂先竿３の各釣糸ガイドＧの高さ（ガイドリングの竿杆表面からの突出高さ）は、先端側（釣糸ガイド１２、１３、１４）を低く、その他の手元側を高くするのがよい。手元側を高くすることによって、キャステイング時の竿杆への糸当たりを防止して、遠投性を向上させる効果が得られる。
また、先端側の釣糸ガイド１２、１３、１４は、ガイドリングの竿杆表面からの突出高さを、ガイドリングの内径よりも小さくするのが好ましい。このようにすることによって、突出高さが低くなるので、糸絡みをより好適に防止できる。
また、手元側は、例えば、ガイドリングの内径を１０とした場合、ガイドリングの竿杆表面からの突出高さを、８から１２とすることが好ましい。
【００２７】
以上、本発明の実施形態について説明したが、本発明は、上記した実施形態に限定されることはなく、種々変形することが可能である。
例えば、前記実施形態では、釣竿１をカーボン繊維で形成したがグラス繊維等を用いて形成してもよい。
【００２８】
また、前記実施形態では、手元竿２を硬調子に構成するとともに穂先竿３を軟調子に構成したものを説明したが、これに限られることはなく、手元竿２よりも更に硬い調子の手元竿と、この手元竿よりも軟調の穂先竿とを組み合わせて釣竿１を構成してもよい。
【符号の説明】
【００２９】
１        釣竿
２        手元竿
３        穂先竿
５        継ぎ部
ＦＬ      全長
Ｇ（１１〜２１）        釣糸ガイド
Ｌ１    トップガイドと２番ガイドとの設置間隔
Ｌ２    ２番ガイドと３番ガイドとの設置間隔
Ｌ３    トップガイドと３番ガイドとの設置間隔
ＲＥ２    元竿側領域
ＲＥ３    穂先側領域
【図１】
2020103254.tif 000003
【図２】
2020103254.tif 000004
【図３】
2020103254.tif 000005
【図４】
2020103254.tif 000006